(57)【要約】  本発明は、フレーム（６４）、座面（１６）および背もたれ（１４）を含んでなり、駆動装置（５４）によって前記座面（１６）の下の収容ポジションから前記座面（１６）の前方の使用ポジションへ繰出すことができるように足掛け（２０）が前記フレーム（６４）に配置され、繰出しのために２本のガイドレール（３４）付きの枠板（３２）が前記フレーム（６４）に設けられて、前記ガイドレール（３４）に第１のキャリッジ（３６）がスライド式に支持され、前記キャリッジの自由端にフラップ（６８）が旋回式に軸支され、前記座面（１６）および前記フラップ（６８）付きの足掛け（２０）に一体のクッションカバー（２２）が被装されているアームチェアに関する。
2009504285.tif 000002
【特許請求の範囲】
【請求項１】
フレーム（２４）、座面（１６）および背もたれ（１４）を含んでなり、駆動装置（５４）によって前記座面（１６）の下の収容ポジションから前記座面（１６）の前方の使用ポジションへ繰出すことができるように足掛け（２０）が前記フレーム（２４）に配置され、繰出しのために２本のガイドレール（３４）付きの枠板（３２）が前記フレーム（２４）に設けられて、前記ガイドレール（３４）に第１のキャリッジ（３６）がスライド式に支持されているアームチェア（１０）であって、
前記キャリッジの自由端にフラップ（６８）が旋回式に軸支され、前記座面（１６）および前記フラップ（６８）付きの足掛け（２０）に一体のクッションカバー（２２）が被装されていることを特徴とするアームチェア。
【請求項２】
前記第１のキャリッジ（３６）内に第２のキャリッジ（３８）が伸縮式にガイドされ、前記フラップ（６８）は前記第２のキャリッジ（３８）の自由端（６４）に旋回式に軸支されていることを特徴とする請求項１に記載のアームチェア。
【請求項３】
前記駆動装置（５４）は前記枠板（３２）に支保されて、前記第１のキャリッジ（３６）を作動させることを特徴とする請求項１または２に記載のアームチェア。
【請求項４】
前記駆動装置（５４）は、スピンドル式駆動装置（５６）、歯車式駆動装置または油圧式もしくは空気圧式駆動装置であることを特徴とする請求項１〜３のいずれか１項に記載のアームチェア。
【請求項５】
前記枠板（３２）と前記第２のキャリッジ（３８）とはロープ牽引装置（４８）を経て互いに連結されていることを特徴とする請求項２〜４のいずれか１項に記載のアームチェア。
【請求項６】
前記ロープ牽引装置（４８）は前記枠板（３２）と前記第２のキャリッジ（３８）とに固定されていることを特徴とする請求項５に記載のアームチェア。
【請求項７】
前記ロープ牽引装置（４８）は前記第２のキャリッジ（３８）においてガイドローラ（４４，４６）を介してガイドされていることを特徴とする請求項５または６に記載のアームチェア。
【請求項８】
前記フラップ（６８）は基本的にＴ形に形成され、Ｔ脚（７２）の自由端（７４）は前記キャリッジ（３８）の自由端（６４）に旋回式に軸支されていることを特徴とする請求項１〜７のいずれか１項に記載のアームチェア。
【請求項９】
クッションカバー（２２）は前記フラップ（６８）のＴバー（７０）に固定されていることを特徴とする請求項８に記載のアームチェア。
【請求項１０】
前記フラップ（６８）は、前記足掛け（２０）が引き込まれると、ばね力（８４）によって畳み込まれた前記収容ポジションで特に前記第２のキャリッジ（３８）の下に保持されることを特徴とする請求項１〜９のいずれか１項に記載のアームチェア。
【請求項１１】
前記フラップ（６８）は、前記足掛け（２０）が繰出されると、前記収容ポジションから立ち上げられて張り出されることを特徴とする請求項１０に記載のアームチェア。
【請求項１２】
前記立上がり時に戻りばね力（８４）は非線形的に、特に指数関数的に減少することを特徴とする請求項１１に記載のアームチェア。
【発明の詳細な説明】
【技術分野】
【０００１】
本発明は、フレーム、座面および背もたれを含んでなり、駆動装置によって前記座面下の収容ポジションから前記座面前方の使用ポジションへ繰出すことができるように足掛けが前記フレームに配置され、繰出しのために２本のガイドレール付きの枠板が前記フレームに設けられて、前記ガイドレールに第１のキャリッジがスライド式に支持されているアームチェアに関する。
【背景技術】
【０００２】
足掛け付きのアームチェアはよく知られている。例えばドイツ登録実用新案第２９７  
１７  ４５６号明細書は、座面下の収容ポジションから座面前方の使用ポジションへスライドさせることのできる足掛けを備えたアームチェアを開示している。この足掛けは別個の部材として形成されて、座面とは別個のクッションカバーを備えているため、この足掛けが使用ポジションにある場合に座面と足掛けとの間に隙間が生じ、あるいは座面と足掛けとは少なくとも連続的な一体のクッションカバーを有していない。
【０００３】
また、座面の前端に旋回可能に軸支されて、不使用時には旋回させて座面下に折り返すことのできる足掛けの付いたアームチェアも知られている。この足掛けの短所は、足掛けが床に当たらずに旋回運動を実施し得るだけの十分な自由スペースが座面の下に存在しなければならないことである。したがって、座面下の自由スペースがわずかな場合には、足掛けもわずかな長さしか備えることができない。
【０００４】
ドイツ特許第１９７  ００  ６１７号明細書から、足掛けが二体式に形成されて、双方の足掛け要素は旋回運動により、両者が互いに重畳配置された座面下の収容ポジションから、平行四辺形形状を経て、座面前方へ変位されて、両者が互いに前後に配列されるように構成した足掛け付きのアームチェアが公知である。ただしこの場合、これら足掛け要素の間ならびに座面と隣接足掛け要素との間には比較的大きな隙間が存在する。
【特許文献１】独国登録実用新案第２９７  １７  ４５６号
【特許文献２】独国特許第１９７  ００  ６１７号
【発明の開示】
【発明が解決しようとする課題】
【０００５】
そこで本発明の目的は、足掛けがその収容ポジションにおいて座面下にできるだけ目立たない姿勢で収容され、使用ポジションへの移行に際しても座面下のわずかなスペースしか必要とせず、それにもかかわらず該足掛けによって座面が比較的前方にまで延長され、しかも座面と足掛けとの間に隙間が生ずることのないアームチェアを提供することである。
【課題を解決するための手段】
【０００６】
上述の課題は本発明により、冒頭に述べた類のアームチェアにおいて、キャリッジの自由端にフラップが旋回式に軸支され、座面およびフラップ付きの足掛けに一体のクッションカバーが被装されることによって解決される。
【０００７】
本発明によるアームチェアは、一連のキャリッジとして構成された前記足掛けが座面の下側に比較的わずかな場所を必要とするにすぎないという重要な利点を有している。収容ポジションから使用ポジションへの変位はスライドによって行われ、このスライド運動中に、前記キャリッジの前端に取り付けられた前記フラップは特に１８０°旋回され、これによって前記足掛けが延長される。また、前記フラップは使用ポジションから収容ポジションへと前記足掛けが変位される際に、前記クッションカバーを折り返して前記キャリッジの下側へ引き込む機能を果たす。この場合、前記クッションカバーは座面を越えて前記足掛けとフラップにまで達し、それら全体に一体に被装されていることから、前記足掛けは前記使用ポジションにおいても隙間を生ずることなく前記座面に密接している。収容ポジションから使用ポジションへの前記フラップの旋回には座面下の比較的わずかなスペースが必要とされるにすぎず、所要の自由スペースは前記フラップの大きさによって決定される。
【０００８】
好ましい実施例において、第１のキャリッジ内には第２のキャリッジが伸縮式にガイドされており、前記フラップは第２のキャリッジの自由端に旋回式に軸支されている。これにより、前記足掛けの長さは、前記一連のキャリッジが比較的短くても、かなり大きく延ばすことができる。また、他の前記２つのキャリッジと共に伸縮式に繰出すことのできる、さらに別の第３のキャリッジを設けることも可能である。いずれの場合にも、最前のキャリッジの自由端には、前記クッションカバーの自由端を座面下のポジションから１８０°旋回させて前記座面を延長するポジションへと変位させる前記フラップが配されている。
【０００９】
好ましい変形実施例において、駆動装置は枠板に支保されて、前記第１のキャリッジに作用する。この場合、前記駆動装置は、スピンドル式駆動装置または、キャリッジに設けられたラックと噛み合う歯車式駆動装置あるいは油圧式もしくは空気圧式駆動装置であってよい。スピンドル式駆動装置は比較的小形の駆動モータで大きな力を発揮し得る点からして好ましい。
【００１０】
前記第１のキャリッジを介して前記第２のキャリッジを可動するため、前記枠板と前記第２のキャリッジとはロープ牽引装置を経て互いに連結されている。この場合、前記ロープ牽引装置は前記第１のキャリッジにおいてガイドローラを介してガイドされ、前記枠板と前記第２のキャリッジとに固定されている。前記ロープ牽引装置はループを形成しているため、前記第１のキャリッジを介して前記第２のキャリッジを繰出し、そしてまた再び引き込むことができる。
【００１１】
好ましい実施例において、前記フラップは基本的にＴ形に形成され、Ｔ脚の自由端は前記キャリッジの自由端に旋回式に軸支されている。したがって、前記フラップはＴ脚の自由端を中心にして、Ｔバーが旋回軸の下側に位置している畳み込まれた収容ポジションから、Ｔバーが旋回軸の上側に位置する使用ポジションへと旋回軸周りを周回変位させられる。こうして、前記フラップがその収容ポジションから使用ポジションへと旋回変位されることにより、前記座面が位置する面から旋回軸受けを中心にして座面の下へ畳み込まれていたクッションカバー部分が張り出され、張り出されたこのクッションカバーの下側で前記足掛けが引き延ばされている。この場合、本発明により、前記クッションカバー部分は前記フラップのＴバーに固定されている。したがって、前記一方ないし双方のキャリッジの伸縮式繰出しによって前記足掛けが引き延ばされると、同時に前記フラップはその収容ポジションから徐々に使用ポジションへと立ち上げられて張り出され、これによって、前記足掛けの延長によって必要となるクッションカバー分が増補される。
【００１２】
前記足掛けを引き込む際に前記クッションカバーをたゆみなく張った状態に保つため、前記フラップはばね力によって収容ポジションに引き込まれる。この場合、前記フラップは前記足掛けが引き込まれると畳み込まれた収容ポジションで第２のキャリッジの下に保持される。前記フラップは、したがって、前記クッションカバー部分を介して収容ポジションから使用ポジションへ旋回変位させられ、また、ばね力によって再び収容ポジションに旋回戻しされることになる。
【００１３】
前記足掛けがいかなるポジションにあっても、つまり、前記足掛けが引込まれた不使用ポジションにあっても、また、前記足掛けが完全に繰出され、前記フラップが１８０°旋回して張り出された使用ポジションにあっても、さらにまた前記足掛けがいかなる中間ポジションにあっても、前記クッションカバーを常にたゆみなく張った状態に保持するため、前記フラップの張り出しに際し、戻りばね力は非線形的に、特に指数関数的に減少する。
【００１４】
本発明のその他の利点、特徴および詳細は従属請求項の記載ならびに図面を参照して特に好ましい実施例を説明する下記記載から判明する通りである。この場合、図面によって示した特徴ならびに下記説明および請求項に記載した特徴はそれぞれ単独であってももしくは任意に組み合わされたものであっても本発明の不可欠の要素である。
【発明を実施するための最良の形態】
【００１５】
図１は全体として符号１０で示された椅子とくにアームチェアの斜視図であり、該アームチェアは脚部１２を有し、図５に示したように、該脚部に背もたれ１４が取付けられている。この背もたれ１４から座面１６が突き出ており、該座面は両側がひじ掛け１８によって限界されている。座面１６の下には、以下に詳細に説明する足掛け２０が配されている。背もたれ１４ならびに、足掛け２０と一体化された座面１６にはいずれもクッションカバー２２が被装されており、該クッションカバーは特に層状構造を有し、例えばレザー外被とその下の発泡材層とを有している。図２は、足掛け２０が使用ポジションにあり、それによって座面１６が延長された状態にあるアームチェア１０を示している。さらに、背もたれ１４は後方へ旋回傾倒されており、これによって、快適な休息ポジションを実現することができる。さらに、ひじ掛け１８は伸長していること、つまりひじ掛けの肘とつかがなす屈曲角度はよりフラットになっていることも看取されよう。
【００１６】
図３はフレーム２４の斜視図であり、該フレームは基本的に、調節式頭部２８付きの背もたれフレーム２６と、座面フレーム３０とからなっている。座面フレーム３０には足掛け２０の枠板３２が取付けられている。ここで、図３に示した足掛け２０は、以下に詳細に説明する個々の部材が引込まれたあるいは畳み込まれた状態の引込みポジションを占めている。
【００１７】
図４は非常に単純化して示した機能概略図であり、以下、同図を参照して足掛け２０の動作機能を説明する。枠板３２にはガイドレール３４（図８）を介して第１のキャリッジ３６がスライド式にガイドされている。第１のキャリッジ３６は下方に向かって開いたＵ形材からなっているため、該キャリッジは同じくガイドレール４０（図８）を介して該キャリッジに支持された第２のキャリッジ３８を内蔵収容することができる。第２のキャリッジ３８は上方に向かって開いたＵ形材からなっているため、双方のキャリッジ３６，３８の間には空洞が生じており、該空洞内に機能部品が配置されている。さらに、図７，８から看取されるように、第１のキャリッジ３６の下側面はカバー４２によって被覆されていてよいことから、以下に説明するその他の機能部品も該カバーによって接触防止され、保護されている。
【００１８】
図４から看取されるように、第１のキャリッジ３６は２つのガイドローラ４４，４６に巻き掛けられたロープ牽引装置４８を有しており、枠板３２は第１の固定手段５０を介して、第２のキャリッジ３８は第２の固定手段５２を介して、それぞれ該ロープ牽引装置に固定されている。キャリッジ３６，３８の相互保持ならびにガイドは、既述したように、ガイドレール３４，４０によって行われる。
【００１９】
枠板３２に固定手段５８で固定されている駆動装置５４例えばスピンドル式駆動装置５６によって第１のキャリッジ３６が、図５に示したように、枠板３２ないし座面１６の自由端６０の方向にスライドさせられると、ロープ牽引装置４８は第１のキャリッジ３６内で矢印６２の方向に周回する。これにより、第２の固定手段５２を介してロープ牽引装置４８に固定されている第２のキャリッジ３８が第１のキャリッジ３６から繰出される。こうして、足掛け２０は座面１６の枠板３２の下側で該枠板の自由端６０から徐々に突き出ることになる。
【００２０】
第２のキャリッジ３８の自由端６４には旋回軸受け６６が位置しており、同所にＴ形（ないし⊥形）のフラップ６８が旋回式にピン連結されている。このフラップ６８はＴバー７０ならびにＴ脚７２を有し、該Ｔ脚の自由端７４が旋回軸受け６６にピン連結されている。クッションカバー２２は丸められたノーズ７６を越えて延び、Ｔバー７０のＴ脚７２とは反対側に位置するバー面に取付けられている。
【００２１】
駆動装置５４の作動によって第２のキャリッジ３８が、図５に示したように、座面１６の下側で繰出されると、クッションカバー２２の引張りによってフラップ６８は矢印７８の方向に旋回させられて、立ち上がる。フラップ６８が使用ポジションに達するまでの旋回角度は約１８０°である。
【００２２】
Ｔ脚７２にはガイドカム８０が配されており、該カムにロープ牽引装置８２が巻き掛け固定されている。ガイドカム８０の周面と旋回軸受け６６との間の間隔は旋回角度が変化するにつれて変化する。ロープ牽引装置８２の他端は、引張りばね８４を経て、第２のキャリッジ３８に固定されている。引張りばね８４はロープ牽引装置８２を介してフラップ６８に矢印７８とは逆方向の抑止力を及ぼして、フラップ６８を図４に示したポジションに保持するかあるいはフラップ６８を該ポジションに旋回戻しするように作用する。
【００２３】
フラップ６８が旋回すると、ガイドカム８０によって、旋回軸受け６０を中心にした復元力にかかわるてこ腕が変化する結果、復元力は旋回角度が増すと共に小さくなる。この変化は非線形的に、特に指数関数的に生ずる。フラップ６８に引張り力が作用することによってクッションカバー２２は常に緊張されている。
【００２４】
図６は基本的に図４と同じ、引込まれて畳み込まれた状態にある足掛け２０の斜視図である。同図から看取されるように、フラップ６８はカバー４２の下側面に当接するため、フラップ６８に固定されたクッションカバー２２は足掛け２０周りをほぼ周回ガイドされることになる。さらに、図４，５から看取されるように、ロープ牽引装置８２はガイドローラ８６を経てガイドされており、該ガイドローラによって足掛け２０の長手軸と平行な、引張りばね８４の伸縮が保証される。
【００２５】
図８，９から特に、ロープ牽引装置４８が巻き掛けガイドされているガイドローラ４４，４６が看取される。さらに、図９から、枠板３２ないし第２のキャリッジ４０をロープ牽引装置４８に固定している固定手段５０，５２がそれぞれ看取される。駆動装置５４の前端８８はボルトとラグ９０を介して第１のキャリッジ３６に固定されている。
【００２６】
本発明によるアームチェア１０の足掛け２０は座面１６の下側に比較的わずかな場所を必要とするにすぎず、それにもかかわらず比較的長く繰出されることが可能であり、しかもその際、クッションカバー２２は座面１６を越えて、繰出された足掛け２０の先端にまで及んでいるため、足掛け２０と座面１６との間に隙間が生ずることはない。
【図面の簡単な説明】
【００２７】
【図１】足掛けが収容ポジションに位置している状態のアームチェアを示す図である。
【図２】足掛けが繰出された状態にあるアームチェアを示す図である。
【図３】足掛けが引込まれた状態にあるアームチェアのフレームの斜視図である。
【図４】座面下に配置され、座面と連結された足掛けが収容ポジションにある状態を示す図である。
【図５】足掛けが部分的に繰出された状態を示す、図４と同様な図である。
【図６】引込まれて畳み込まれた状態の足掛けを下方から見た斜視図である。
【図７】繰出された状態の足掛けを下方から見た斜視図である。
【図８】繰出された状態の足掛けを上方から見た斜視図である。
【図９】図７の状態を分解して示す解体図である。
【図１】
2009504285.tif 000003
【図２】
2009504285.tif 000004
【図３】
2009504285.tif 000005
【図４】
2009504285.tif 000006
【図５】
2009504285.tif 000007
【図６】
2009504285.tif 000008
【図７】
2009504285.tif 000009
【図８】
2009504285.tif 000010
【図９】
2009504285.tif 000011
【手続補正書】
【提出日】平成19年8月10日(2007.8.10)
【手続補正１】
【補正対象書類名】特許請求の範囲
【補正対象項目名】全文
【補正方法】変更
【補正の内容】
【特許請求の範囲】
【請求項１】
フレーム（２４）、座面（１６）および背もたれ（１４）を含んでなり、駆動装置（５４）によって前記座面（１６）の下の収容ポジションから前記座面（１６）の前方の使用ポジションへ繰出すことができるように足掛け（２０）が前記フレーム（２４）に配置され、繰出しのために２本のガイドレール（３４）付きの枠板（３２）が前記フレーム（２４）に設けられて、前記ガイドレール（３４）に第１のキャリッジ（３６）がスライド式に支持され、前記キャリッジの自由端にフラップ（６８）が旋回式に軸支され、前記座面（１６）および前記フラップ（６８）付きの足掛け（２０）に一体のクッションカバー（２２）が被装されているアームチェア（１０）であって、
前記第１のキャリッジ（３６）内に第２のキャリッジ（３８）が伸縮式にガイドされ、前記フラップ（６８）は前記第２のキャリッジ（３８）の自由端（６４）に旋回式に軸支されていることを特徴とするアームチェア。
【請求項２】
前記駆動装置（５４）は前記枠板（３２）に支保されて、前記第１のキャリッジ（３６）を作動させることを特徴とする請求項１に記載のアームチェア。
【請求項３】
前記駆動装置（５４）は、スピンドル式駆動装置（５６）、歯車式駆動装置または油圧式もしくは空気圧式駆動装置であることを特徴とする請求項１または２に記載のアームチェア。
【請求項４】
前記枠板（３２）と前記第２のキャリッジ（３８）とはロープ牽引装置（４８）を経て互いに連結されていることを特徴とする請求項１〜３のいずれか１項に記載のアームチェア。
【請求項５】
前記ロープ牽引装置（４８）は前記枠板（３２）と前記第２のキャリッジ（３８）とに固定されていることを特徴とする請求項４に記載のアームチェア。
【請求項６】
前記ロープ牽引装置（４８）は前記第２のキャリッジ（３８）においてガイドローラ（４４，４６）を介してガイドされていることを特徴とする請求項４または５に記載のアームチェア。
【請求項７】
前記フラップ（６８）は基本的にＴ形に形成され、Ｔ脚（７２）の自由端（７４）は前記キャリッジ（３８）の自由端（６４）に旋回式に軸支されていることを特徴とする請求項１〜６のいずれか１項に記載のアームチェア。
【請求項８】
クッションカバー（２２）は前記フラップ（６８）のＴバー（７０）に固定されていることを特徴とする請求項７に記載のアームチェア。
【請求項９】
前記フラップ（６８）は、前記足掛け（２０）が引き込まれると、ばね力（８４）によって畳み込まれた前記収容ポジションで特に前記第２のキャリッジ（３８）の下に保持されることを特徴とする請求項１〜８のいずれか１項に記載のアームチェア。
【請求項１０】
前記フラップ（６８）は、前記足掛け（２０）が繰出されると、前記収容ポジションから立ち上げられて張り出されることを特徴とする請求項９に記載のアームチェア。
【請求項１１】
前記立上がり時に戻りばね力（８４）は非線形的に、特に指数関数的に減少することを特徴とする請求項１０に記載のアームチェア。
【手続補正書】
【提出日】平成20年11月20日(2008.11.20)
【手続補正１】
【補正対象書類名】特許請求の範囲
【補正対象項目名】全文
【補正方法】変更
【補正の内容】
【特許請求の範囲】
【請求項１】
フレーム（２４）、座面（１６）および背もたれ（１４）を含んでなり、駆動装置（５４）によって前記座面（１６）の下の収容ポジションから前記座面（１６）の前方の使用ポジションへ繰出すことができるように足掛け（２０）が前記フレーム（２４）に配置され、繰出しのために２本のガイドレール（３４）付きの枠板（３２）が前記フレーム（２４）に設けられて、前記ガイドレール（３４）に第１のキャリッジ（３６）がスライド式に支持され、前記キャリッジの自由端にフラップ（６８）が旋回式に軸支され、前記座面（１６）および前記フラップ（６８）付きの足掛け（２０）に一体のクッションカバー（２２）が被装されているアームチェア（１０）であって、
前記第１のキャリッジ（３６）内に第２のキャリッジ（３８）が伸縮式にガイドされ、前記フラップ（６８）は前記第２のキャリッジ（３８）の自由端（６４）に旋回式に軸支されていることを特徴とするアームチェア。
【請求項２】
前記駆動装置（５４）は前記枠板（３２）に支保されて、前記第１のキャリッジ（３６）を作動させることを特徴とする請求項１に記載のアームチェア。
【請求項３】
前記駆動装置（５４）は、スピンドル式駆動装置（５６）、歯車式駆動装置または油圧式もしくは空気圧式駆動装置であることを特徴とする請求項１または２に記載のアームチェア。
【請求項４】
前記枠板（３２）と前記第２のキャリッジ（３８）とはロープ牽引装置（４８）を経て互いに連結されていることを特徴とする請求項１〜３のいずれか１項に記載のアームチェア。
【請求項５】
前記ロープ牽引装置（４８）は前記枠板（３２）と前記第２のキャリッジ（３８）とに固定されていることを特徴とする請求項４に記載のアームチェア。
【請求項６】
前記ロープ牽引装置（４８）は前記第２のキャリッジ（３８）においてガイドローラ（４４，４６）を介してガイドされていることを特徴とする請求項４または５に記載のアームチェア。
【請求項７】
前記フラップ（６８）は基本的にＴ形に形成され、Ｔ脚（７２）の自由端（７４）は前記第２のキャリッジ（３８）の自由端（６４）に旋回式に軸支されていることを特徴とする請求項１〜６のいずれか１項に記載のアームチェア。
【請求項８】
クッションカバー（２２）は前記フラップ（６８）のＴバー（７０）に固定されていることを特徴とする請求項７に記載のアームチェア。
【請求項９】
前記フラップ（６８）は、前記足掛け（２０）が引き込まれると、ばね力（８４）によって畳み込まれた前記収容ポジションで特に前記第２のキャリッジ（３８）の下に保持されることを特徴とする請求項１〜８のいずれか１項に記載のアームチェア。
【請求項１０】
前記フラップ（６８）は、前記足掛け（２０）が繰出されると、前記収容ポジションから立ち上げられて張り出されることを特徴とする請求項９に記載のアームチェア。
【請求項１１】
前記立上がり時に戻りばね力（８４）は非線形的に、特に指数関数的に減少することを特徴とする請求項１０に記載のアームチェア。
【手続補正２】
【補正対象書類名】明細書
【補正対象項目名】００１５
【補正方法】変更
【補正の内容】
【００１５】
図１は全体として符号１０で示された椅子とくにアームチェアの斜視図であり、該アームチェアは脚部１２を有し、図１に示したように、該脚部に背もたれ１４が取付けられている。この背もたれ１４から座面１６が突き出ており、該座面は両側がひじ掛け１８によって限界されている。座面１６の下には、以下に詳細に説明する足掛け２０が配されている。背もたれ１４ならびに、足掛け２０と一体化された座面１６にはいずれもクッションカバー２２が被装されており、該クッションカバーは特に層状構造を有し、例えばレザー外被とその下の発泡材層とを有している。図２は、足掛け２０が使用ポジションにあり、それによって座面１６が延長された状態にあるアームチェア１０を示している。さらに、背もたれ１４は後方へ旋回傾倒されており、これによって、快適な休息ポジションを実現することができる。さらに、ひじ掛け１８は伸長していること、つまりひじ掛けの肘とつかがなす屈曲角度はよりフラットになっていることも看取されよう。
【手続補正３】
【補正対象書類名】明細書
【補正対象項目名】００２５
【補正方法】変更
【補正の内容】
【００２５】
図８，９から特に、ロープ牽引装置４８が巻き掛けガイドされているガイドローラ４４，４６が看取される。さらに、図９から、枠板３２ないし第２のキャリッジ３８をロープ牽引装置４８に固定している固定手段５０，５２がそれぞれ看取される。駆動装置５４の前端８８はボルトとラグ９０を介して第１のキャリッジ３６に固定されている。
【国際調査報告】
2009504285.tif 000012
2009504285.tif 000013
2009504285.tif 000014
2009504285.tif 000015
2009504285.tif 000016
2009504285.tif 000017